(57)【要約】【課題】コンテンツデータの不正利用を防止するとともに、当該コンテンツデータを利用するユーザの利便性を向上させることが可能な情報処理装置、情報処理方法、及びプログラムを提供すること。【解決手段】携帯端末１００は、画像データを取得する画像データ取得部１５２と、前記画像データを表示部１４０に表示する表示制御部１５３と、携帯端末１００が店内に存在するか否かを判断するエリア判断部１５４と、携帯端末１００が店内に存在する場合は前記画像データの表示を許可し、携帯端末１００が店外に存在する場合は前記画像データの表示を禁止し、携帯端末１００が店内から店外に移動した後に店外から店内に戻った場合は、携帯端末１００が店内から店外に移動した直前の前記画像データの表示状態に基づいて前記画像データの表示を復元する。【選択図】図８
2019185458.tif 000002
【特許請求の範囲】
【請求項１】
コンテンツをユーザに提供する情報処理装置であって、
前記コンテンツのデータを取得するデータ取得部と、
前記データ取得部により取得された前記データを、前記コンテンツに応じた形式で出力するデータ出力部と、
前記情報処理装置が所定のエリア内に存在するか否かを判断するエリア判断部と、
前記情報処理装置が前記所定のエリア内に存在する場合は、前記データ出力部における前記データの出力を許可し、前記情報処理装置が前記所定のエリア外に存在する場合は、前記データ出力部における前記データの出力状態を変更し、前記情報処理装置が前記所定のエリア内から前記所定のエリア外に移動した後に前記所定のエリア外から前記所定のエリア内に戻った場合は、前記情報処理装置が前記所定のエリア内から前記所定のエリア外に移動した直前の前記データの出力状態に基づいて前記データの出力を復元する、制限処理部と、
を備える情報処理装置。
【請求項２】
前記情報処理装置が前記所定のエリア内に存在する場合において、
前記データが画像データである場合は、前記データ出力部は、前記画像データに対応する画像を表示部に表示させ、
前記データが音楽データである場合は、前記データ出力部は、前記音楽データを再生部に再生させる、
請求項１に記載の情報処理装置。
【請求項３】
前記情報処理装置が前記所定のエリア外に存在する場合において、
前記データが画像データである場合は、前記制限処理部は、前記画像データに対応する画像を表示部から削除し、又は、前記画像データに対応する画像の表示態様を変更して表示部に表示させ、
前記データが音楽データである場合、前記制限処理部は、前記音楽データの再生を停止させる、又は、前記音楽データの再生形式を変更して再生させる、
請求項１又は請求項２に記載の情報処理装置。
【請求項４】
前記情報処理装置が前記所定のエリア内に存在するときに、前記ユーザが前記表示部に表示された複数の画像のうち第１画像を選択した場合は、前記制限処理部は、前記第１画像が選択されたことを示す選択済情報を前記表示部に表示させ、
その後、前記情報処理装置が前記所定のエリア内から前記所定のエリア外に移動した場合は、前記制限処理部は、前記複数の画像と前記選択済情報とを、前記表示部から削除する、
請求項３に記載の情報処理装置。
【請求項５】
さらに、前記情報処理装置が前記所定のエリア外から前記所定のエリア内に戻った場合は、前記制限処理部は、前記複数の画像と前記選択済情報とを、前記表示部に再表示させる、
請求項４に記載の情報処理装置。
【請求項６】
前記エリア判断部は、前記情報処理装置の通信状態に基づいて、前記情報処理装置が前記所定のエリア内に存在するか否かを判断する、
請求項１から請求項５のいずれか１項に記載の情報処理装置。
【請求項７】
複数の画像をユーザに提供する情報処理装置であって、
前記複数の画像に対応する画像データを取得するデータ取得部と、
前記データ取得部により取得された前記画像データに対応する画像を表示部に表示させるデータ出力部と、
前記情報処理装置が所定のエリア内に存在するか否かを判断するエリア判断部と、
前記情報処理装置が前記所定のエリア内に存在する場合は、前記表示部における前記画像の表示を許可し、前記情報処理装置が前記所定のエリア外に存在する場合は、前記表示部において、前記画像に含まれる前記ユーザの情報に表示上の制限を加える制限処理部と、
を備える情報処理装置。
【請求項８】
ユーザが所持する情報処理装置にコンテンツを提供する情報処理方法であって、
前記コンテンツのデータを取得するステップと、
前記取得した前記データを、前記コンテンツに応じた形式で出力するステップと、
前記情報処理装置が所定のエリア内に存在するか否かを判断するステップと、
前記情報処理装置が前記所定のエリア内に存在する場合は、前記データの出力を許可し、前記情報処理装置が前記所定のエリア外に存在する場合は、前記データの出力状態を変更し、前記情報処理装置が前記所定のエリア内から前記所定のエリア外に移動した後に前記所定のエリア外から前記所定のエリア内に戻った場合は、前記情報処理装置が前記所定のエリア内から前記所定のエリア外に移動した直前の前記データの出力状態に基づいて前記データの出力を復元するステップと、
を含む情報処理方法。
【請求項９】
ユーザが所持する情報処理装置にコンテンツを提供するプログラムであって、
前記コンテンツのデータを取得するステップと、
前記取得した前記データを、前記コンテンツに応じた形式で出力するステップと、
前記情報処理装置が所定のエリア内に存在するか否かを判断するステップと、
前記情報処理装置が前記所定のエリア内に存在する場合は、前記データの出力を許可し、前記情報処理装置が前記所定のエリア外に存在する場合は、前記データの出力状態を変更し、前記情報処理装置が前記所定のエリア内から前記所定のエリア外に移動した後に前記所定のエリア外から前記所定のエリア内に戻った場合は、前記情報処理装置が前記所定のエリア内から前記所定のエリア外に移動した直前の前記データの出力状態に基づいて前記データの出力を復元するステップと、
をコンピュータに実行させるためのプログラム。
【発明の詳細な説明】
【技術分野】
【０００１】
本発明は、コンテンツをユーザに提供する情報処理装置、情報処理方法、及びプログラムに関する。
【背景技術】
【０００２】
従来、店舗等の施設において、画像、音楽、書籍、映像等のコンテンツのデータ（コンテンツデータ）をユーザ端末に提供して、当該ユーザ端末を利用するユーザが、当該施設内において当該コンテンツを利用（閲覧、視聴など）することが行われている。この場合、前記ユーザが前記コンテンツを施設外へ持ち出すことを防止するための対策、すなわちコンテンツデータの管理が必要となる。
【０００３】
例えば特許文献１には、ユーザ端末が施設外に出た場合に、当該ユーザ端末に記憶されたコンテンツデータの利用を禁止する技術が開示されている。具体的には、先ず、施設内にいるユーザが、自身のユーザ端末に、サーバからダウンロードしたコンテンツデータを保存する。次に、コンテンツデータに含まれる認証部が、サーバとの間で定期的な認証を行う。そして、前記認証が失敗した場合は、ユーザ端末が施設外に出たものと判定し、ユーザ端末に保存されたコンテンツデータの全部又は一部を削除して、その利用を禁止する。
【先行技術文献】
【特許文献】
【０００４】
【特許文献１】特開２００４−８６４４１号公報
【発明の概要】
【発明が解決しようとする課題】
【０００５】
しかし、前記従来の技術では、コンテンツデータを施設外に持ち出したユーザが、施設内に戻り、同一のコンテンツを再度利用しようとした場合、ユーザは、前記コンテンツデータを再度ユーザ端末にダウンロードしなければならない。このため、ユーザがコンテンツデータを再度利用するまでに時間を要する。また、例えばユーザが施設内で音楽を視聴中に一旦施設外に出て、その後に施設内に戻った場合、ユーザは、当該音楽を途中から視聴したくても、当該音楽データを再度ユーザ端末にダウンロードして、当該音楽を最初から視聴しなければならない。このように、前記従来の技術では、前記コンテンツデータを利用するユーザの利便性が低下する問題が生じる。
【０００６】
本発明の目的は、コンテンツデータの不正利用を防止するとともに、当該コンテンツデータを利用するユーザの利便性を向上させることが可能な情報処理装置、情報処理方法、及びプログラムを提供することにある。
【課題を解決するための手段】
【０００７】
本発明の一の態様に係る情報処理装置は、コンテンツをユーザに提供する情報処理装置であって、前記コンテンツのデータを取得するデータ取得部と、前記データ取得部により取得された前記データを、前記コンテンツに応じた形式で出力するデータ出力部と、前記情報処理装置が所定のエリア内に存在するか否かを判断するエリア判断部と、前記情報処理装置が前記所定のエリア内に存在する場合は、前記データ出力部における前記データの出力を許可し、前記情報処理装置が前記所定のエリア外に存在する場合は、前記データ出力部における前記データの出力状態を変更し、前記情報処理装置が前記所定のエリア内から前記所定のエリア外に移動した後に前記所定のエリア外から前記所定のエリア内に戻った場合は、前記情報処理装置が前記所定のエリア内から前記所定のエリア外に移動した直前の前記データの出力状態に基づいて前記データの出力を復元する、制限処理部と、を備える。
【０００８】
本発明の他の態様に係る情報処理装置は、複数の画像をユーザに提供する情報処理装置であって、前記複数の画像に対応する画像データを取得するデータ取得部と、前記データ取得部により取得された前記画像データに対応する画像を表示部に表示させるデータ出力部と、前記情報処理装置が所定のエリア内に存在するか否かを判断するエリア判断部と、前記情報処理装置が前記所定のエリア内に存在する場合は、前記表示部における前記画像の表示を許可し、前記情報処理装置が前記所定のエリア外に存在する場合は、前記表示部において、前記画像に含まれる前記ユーザの情報に表示上の制限を加える制限処理部と、を備える。
【０００９】
本発明の他の態様に係る情報処理方法は、ユーザが所持する情報処理装置にコンテンツを提供する情報処理方法であって、前記コンテンツのデータを取得するステップと、前記取得した前記データを、前記コンテンツに応じた形式で出力するステップと、前記情報処理装置が所定のエリア内に存在するか否かを判断するステップと、前記情報処理装置が前記所定のエリア内に存在する場合は、前記データの出力を許可し、前記情報処理装置が前記所定のエリア外に存在する場合は、前記データの出力状態を変更し、前記情報処理装置が前記所定のエリア内から前記所定のエリア外に移動した後に前記所定のエリア外から前記所定のエリア内に戻った場合は、前記情報処理装置が前記所定のエリア内から前記所定のエリア外に移動した直前の前記データの出力状態に基づいて前記データの出力を復元するステップと、を含む。
【００１０】
本発明の他の態様に係るプログラムは、ユーザが所持する情報処理装置にコンテンツを提供するプログラムであって、前記コンテンツのデータを取得するステップと、前記取得した前記データを、前記コンテンツに応じた形式で出力するステップと、前記情報処理装置が所定のエリア内に存在するか否かを判断するステップと、前記情報処理装置が前記所定のエリア内に存在する場合は、前記データの出力を許可し、前記情報処理装置が前記所定のエリア外に存在する場合は、前記データの出力状態を変更し、前記情報処理装置が前記所定のエリア内から前記所定のエリア外に移動した後に前記所定のエリア外から前記所定のエリア内に戻った場合は、前記情報処理装置が前記所定のエリア内から前記所定のエリア外に移動した直前の前記データの出力状態に基づいて前記データの出力を復元するステップと、をコンピュータに実行させるためのプログラムである。
【発明の効果】
【００１１】
本発明によれば、コンテンツデータの不正利用を防止するとともに、当該コンテンツデータを利用するユーザの利便性を向上させることが可能な情報処理装置、情報処理方法、及びプログラムを提供することができる。
【図面の簡単な説明】
【００１２】
【図１】図１は、本発明の実施形態１に係る情報処理システムの概略構成を示す図である。
【図２】図２は、本発明の実施形態１に係るサーバの記憶部に記憶される画像リスト及び画像データの一例を示す図である。
【図３】図３は、本発明の実施形態１に係る画像選択装置の構成を示す機能ブロック図である。
【図４】図４は、本発明の実施形態１に係る画像選択装置の記憶部に記憶される画像リスト及び画像データの一例を示す図である。
【図５】図５は、本発明の実施形態１に係る画像選択装置に表示される表示画面の一例を示す図である。
【図６】図６は、本発明の実施形態１に係る画像選択装置に表示される表示画面の一例を示す図である。
【図７】図７は、本発明の実施形態１に係る画像選択装置の記憶部に記憶される画像リストの一例を示す図である。
【図８】図８は、本発明の実施形態１に係る携帯端末の構成を示す機能ブロック図である。
【図９】図９は、本発明の実施形態１に係る携帯端末の記憶部に記憶される画像リスト及び画像データの一例を示す図である。
【図１０】図１０は、本発明の実施形態１に係る携帯端末に表示される表示画面の一例を示す図である。
【図１１】図１１は、本発明の実施形態１に係る携帯端末に表示される表示画面の一例を示す図である。
【図１２】図１２は、本発明の実施形態１に係る携帯端末に表示される表示画面の一例を示す図である。
【図１３】図１３は、本発明の実施形態１に係る携帯端末における画像制限処理の手順の一例を説明するためのフローチャートである。
【図１４】図１４は、本発明の実施形態に係る携帯端末における画像制限処理の手順の一例を説明するためのフローチャートである。
【図１５】図１５は、本発明の実施形態１に係る携帯端末を所持するユーザが通信圏内及び通信圏外を移動する様子を示す模式図である。
【図１６】図１６は、本発明の実施形態２に係る携帯端末の構成を示す機能ブロック図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
本発明に係る情報処理システムは、例えば、写真店に導入される画像（商品画像）選択システム、音楽ＣＤ（登録商標）店に導入される音楽配信システム、書店又は図書館に導入される書籍（又は映像）配信システムなど、施設内でユーザが使用する端末（携帯端末）にコンテンツを提供するシステムに適用することができる。ユーザは、携帯端末を使用して、所望のコンテンツ（画像、音楽、書籍、映像など）を閲覧、視聴などする。以下では、情報処理システム１が、写真店における画像選択システムに適用される場合の一例を、実施形態１で説明し、情報処理システム１が、音楽ＣＤ店における音楽配信システムに適用される場合の一例を、実施形態２で説明する。
【００１５】
［実施形態１］
図１は、実施形態１に係る情報処理システム１の概略構成を示す図である。
【００１６】
情報処理システム１は、サーバ２００と、サーバ２００にネットワークを介して接続される複数の画像選択装置３００と、アクセスポイント（ＡＰ）４００を介して前記ネットワークに接続される複数の携帯端末１００と、を含んでいる。前記ネットワークは、有線ＬＡＮ、無線ＬＡＮ、インターネットなどの通信ネットワークである。各携帯端末１００は、無線ＬＡＮにより、ＡＰ４００を介して前記ネットワークに接続される。
【００１７】
情報処理システム１において、サーバ２００は、写真店（施設）に設置され、写真店の店員（オペレータ）が使用する装置（例えば、データサーバ）である。画像選択装置３００は、写真店に設置され、写真店の店員が使用する装置（例えば、パーソナルコンピュータ）である。携帯端末１００は、写真店に来店した顧客（以下、「ユーザ」と称す。）が店内（施設内）で使用する装置（例えば、タブレット端末）である。なお、ユーザは、店員とともに画像選択装置３００を使用（操作）する場合もある。サーバ２００と画像選択装置３００とは、有線ＬＡＮにより接続されており、サーバ２００と携帯端末１００とは、無線ＬＡＮにより接続されている。複数の画像選択装置３００のそれぞれは、個別に、サーバ２００に接続することが可能となっており、複数の携帯端末１００のそれぞれは、個別に、サーバ２００に接続することが可能となっている。
【００１８】
［サーバ２００の構成］
サーバ２００は、操作部２１０と、通信部２２０と、記憶部２３０と、制御部２５０とを備えている。
【００１９】
操作部２１０は、キーボード、マウス等、店員が所定の操作を行う際に使用する装置（ユーザーインターフェース）である。
【００２０】
通信部２２０は、サーバ２００をネットワークに接続し、ネットワークを介して画像選択装置３００、携帯端末１００等の外部機器との間で所定の通信プロトコルに従ったデータ通信を実行するための通信インタフェースである。
【００２１】
記憶部２３０は、ハードディスク又はＥＥＰＲＯＭ（登録商標）などの不揮発性の記憶部である。記憶部２３０には、制御部２５０によって実行される各種の制御プログラム、及び各種のデータなどが記憶される。
【００２２】
また記憶部２３０は、画像データ記憶部２３１と、管理テーブル記憶部２３２とを含んでいる。画像データ記憶部２３１には、複数の画像データが記憶される。例えば、画像データ記憶部２３１には、ユーザが写真店に来店し、写真店において当該ユーザをカメラ撮影した撮像画像のデータが、サーバ２００に取り込まれて記憶される。また、画像データ記憶部２３１には、ユーザが過去に撮影した撮像画像のデータが、写真店に持参されて、又はインターネットを介して写真店に送信されて、サーバ２００に取り込まれて記憶される。画像データ記憶部２３１には、複数のユーザそれぞれの画像データが区別して記憶される。例えば、画像データ記憶部２３１には、ユーザＡ用の複数の画像データと、ユーザＢ用の複数の画像データと、ユーザＣ用の複数の画像データとが区別して記憶される。
【００２３】
図２には、画像データ記憶部２３１に記憶される画像データの一例を示している。図２には、ユーザＡ用の複数の画像データ（「Ａ＿００１」、…）と、ユーザＢ用の複数の画像データ（「Ｂ＿００８」、…）と、ユーザＣ用の複数の画像データ（「Ｃ＿００１」、…）とが区別して記憶されている。なお、「Ａ＿００１」等の名称は、画像データのファイル名（画像ファイル名）を示している。
【００２４】
管理テーブル記憶部２３２には、画像データ記憶部２３１に記憶される画像データの情報を管理する管理テーブル（画像リスト）が記憶される。例えば、前記画像リストには、画像ファイル名と、画像データがユーザにより選択されたか否かを示す画像選択情報（フラグ）とが登録される。また、前記画像リストは、例えば、ユーザごとに作成され、各画像リストには名称（画像リスト名）が付与される。前記画像リストに登録される前記情報は、画像選択装置３００における店員又はユーザの操作、又は、携帯端末１００におけるユーザの操作に応じて更新される。
【００２５】
図２には、管理テーブル記憶部２３２に記憶される画像リストの一例を示している。図２には、ユーザＡ用の画像リスト（「ＲＩＳＴ０００１」）と、ユーザＢ用の画像リスト（「ＲＩＳＴ０００２」）と、ユーザＣ用の画像リスト（「ＲＩＳＴ０００３」）とが記憶されている。なお、図２では、いずれの画像も選択されていない状態（選択フラグ：“  ”（空欄））を示している。
【００２６】
制御部２５０は、ＣＰＵ、ＲＯＭ、及びＲＡＭなどの制御機器を備える。前記ＣＰＵは、各種の演算処理を実行するプロセッサである。前記ＲＯＭは、前記ＣＰＵに各種の処理を実行させるための制御プログラムなどの情報が予め記憶された不揮発性の記憶部である。前記ＲＡＭは、前記ＣＰＵが実行する各種の処理の一時記憶メモリー（作業領域）として使用される揮発性又は不揮発性の記憶部である。制御部２５０は、前記ＲＯＭ又は記憶部２３０に予め記憶された各種の制御プログラムを前記ＣＰＵで実行することによりサーバ２００を制御する。
【００２７】
例えば、制御部２５０は、画像選択装置３００における店員の操作に応じて、前記画像データ及び前記画像リストを、画像選択装置３００に送信する。同様に、制御部２５０は、携帯端末１００におけるユーザの操作に応じて、前記画像データ及び前記画像リストを、携帯端末１００に送信する。また、制御部２５０は、前記店員又は前記ユーザの操作に応じて、前記画像リストに登録される前記情報を登録及び更新する。
【００２８】
［画像選択装置３００の構成］
図３は、実施形態１に係る画像選択装置３００の構成を示す機能ブロック図である。画像選択装置３００は、操作部３１０と、通信部３２０と、記憶部３３０と、第１表示部３４１と、第２表示部３４２と、制御部３５０と、を備えている。
【００２９】
操作部３１０は、キーボード、マウス、タッチパネル等、店員又はユーザが所定の操作を行う際に使用する装置（ユーザーインターフェース）である。例えば、店員は、画像選択装置３００において、操作部３１０を使用して、ユーザが希望する画像を選択したり、ユーザの要求に基づいて各種の設定を行ったりする。
【００３０】
通信部３２０は、画像選択装置３００をネットワークに接続し、ネットワークを介してサーバ２００、携帯端末１００等の外部機器との間で所定の通信プロトコルに従ったデータ通信を実行するための通信インタフェースである。
【００３１】
記憶部３３０は、ハードディスク又はＥＥＰＲＯＭ（登録商標）などの不揮発性の記憶部である。記憶部３３０には、制御部３５０によって実行される各種の制御プログラム、及び各種のデータなどが記憶される。
【００３２】
また記憶部３３０には、店員又はユーザの操作に基づいてサーバ２００から取得される前記画像データ及び画像リストが記憶される。
【００３３】
第１表示部３４１及び第２表示部３４２はそれぞれ、情報を表示する液晶ディスプレイなどの表示パネル（モニタ）である。例えば、第１表示部３４１は、店員用の表示画面が表示されるモニタ（店員用モニタ）であり、第２表示部３４２は、ユーザ用の表示画面が表示されるモニタ（ユーザ用モニタ）である。例えば、第１表示部３４１及び第２表示部３４２には、それぞれ、各種の設定画面と、ユーザ用の複数の画像を一覧にした画像一覧とが表示される。第１表示部３４１に表示される表示画面の内容と、第２表示部３４２に表示される表示画面の内容とは、互いに同一であっても良いし異なっていても良い。店員及びユーザは、第１表示部３４１及び第２表示部３４２に表示される画像一覧を見ながら、操作部３１０を操作して、所望の画像を選択する。
【００３４】
制御部３５０は、ＣＰＵ、ＲＯＭ、及びＲＡＭなどの制御機器を備える。前記ＣＰＵは、各種の演算処理を実行するプロセッサである。前記ＲＯＭは、前記ＣＰＵに各種の処理を実行させるための制御プログラムなどの情報が予め記憶された不揮発性の記憶部である。前記ＲＡＭは、前記ＣＰＵが実行する各種の処理の一時記憶メモリー（作業領域）として使用される揮発性又は不揮発性の記憶部である。制御部３５０は、前記ＲＯＭ又は記憶部３３０に予め記憶された各種の制御プログラムを前記ＣＰＵで実行することにより画像選択装置３００を制御する。
【００３５】
具体的に、制御部３５０は、図３に示すように、操作取得部３５１、画像データ取得部３５２、表示制御部３５３、画像情報更新部３５４などの各処理部を含む。なお、制御部３５０は、前記制御プログラムに従って各種の処理を実行することによりこれらの各処理部として機能する。また、制御部３５０は、これらの各処理部の一部又は複数の処理機能を実現する電子回路を備えるものであってもよい。
【００３６】
操作取得部３５１は、店員又はユーザが操作部３１０を使用して所定の操作を行った場合に、当該操作に応じた情報（操作情報）を取得する。
【００３７】
画像データ取得部３５２は、前記操作情報に基づいて、サーバ２００から所定の画像リストと、当該画像リストに登録された画像ファイル名に対応する画像データとを取得する。例えば、ユーザＡが画像選択装置３００にユーザ情報を入力（ログイン操作）すると、画像データ取得部３５２は、当該ユーザ情報に基づいて、サーバ２００から、ユーザＡ用の画像リストと、当該画像リストに登録された画像ファイル名に対応するユーザＡ用の画像データとを取得する。画像データ取得部３５２は、前記取得した画像リストと画像データとを記憶部３３０に記憶する。図４には、記憶部３３０に記憶されるユーザＡ用の画像リスト（「ＲＩＳＴ０００１」）と、画像データ（「Ａ＿００１」〜「Ａ＿０１０」）との一例を示している。
【００３８】
表示制御部３５３は、第１表示部３４１及び第２表示部３４２に表示させる表示画面の表示内容を制御する。例えば、表示制御部３５３は、第１表示部３４１及び第２表示部３４２のそれぞれに、ユーザＡ用の複数の画像を一覧にした画像一覧を含む表示画面を表示させる（図５参照）。表示制御部３５３は、第１表示部３４１及び第２表示部３４２に画像データを出力するデータ出力部としての機能を有する。図５に示す表示画面おいて、符号３０１は画面枠を示し、符号３０２は画像情報表示枠を示し、符号３０３はサムネイル画像欄（画像一覧）を示し、符号３０４は画像ファイル名欄を示し、符号３０５は選択画像欄を示している。
【００３９】
図５に示す表示画面では、ユーザＡ用の画像（ここでは１０枚のサムネイル画像）とそれぞれの画像ファイル名「Ａ＿００１」〜「Ａ＿０１０」とが、画像情報表示枠３０２内に表示されている。なお、図５では、１０枚のサムネイル画像が、画像情報表示枠３０２内に収まって表示されているが、サムネイル画像が多数存在し、画像情報表示枠３０２内に収まらない場合は、画像情報表示枠３０２内の表示領域が左右方向又は上下方向にスクロールするスクロールバーが表示される。
【００４０】
図５に示す表示画面において、例えば、ユーザは商品「アルバムＡ」に入れる画像を決定するために、所望の画像を選択する。ここでは、図６に示すように、ユーザが、画像ファイル名「Ａ＿００２」、「Ａ＿００４」、「Ａ＿００８」の画像（「Ａ−０２」、「Ａ−０４」、「Ａ−０８」）を選択したと仮定する。ユーザが、前記画像を選択すると、当該画像の画像ファイル名に枠囲みが施される。尚、ユーザが、サムネイル画像をクリック、又は、サムネイル画像を選択画像欄３０５にドラッグアンドドロップ操作すると、当該サムネイル画像に対応する拡大画像が選択画像欄３０５に表示される。
【００４１】
画像情報更新部３５４は、店員又はユーザによる前記操作に応じて前記画像リストを更新する。例えば、図６に示す前記画像一覧において、ユーザが画像「Ａ−０２」、「Ａ−０４」、「Ａ−０８」を選択した場合、画像情報更新部３５４は、画像リスト（「ＲＩＳＴ０００１」）において、前記各画像に対応する画像ファイル名の「選択」欄にフラグ“１”を追加する（図７参照）。操作取得部１５１が店員又はユーザから「更新」操作を受け付けると、画像情報更新部３５４は、画像選択情報（フラグ）を追加した更新用画像リスト（図７参照）を、サーバ２００に送信する。
【００４２】
サーバ２００の制御部２５０は、画像選択装置３００から前記更新用画像リストを取得すると、前記更新用画像リストの内容に基づいて、管理テーブル記憶部２３２に記憶された画像リスト（図２参照）を更新する。ここでは、制御部２５０は、管理テーブル記憶部２３２の画像リスト（「ＲＩＳＴ０００１」）において、画像ファイル名「Ａ＿００２」、「Ａ＿００４」、「Ａ＿００８」の「選択」欄にフラグ“１”を追加する。
【００４３】
このように、店員及びユーザは、店内において画像選択装置３００を操作して、ユーザ用の画像一覧からユーザの所望の画像を選択する操作を行う。ここで、前記画像一覧に大量の画像が存在する場合には、ユーザ（ユーザＸとする。）が画像を選択する作業に時間を要する。また、ユーザＸが所用などにより画像の選択作業を中断する場合がある。このような場合、店員としては、画像選択装置３００において、他のユーザ（ユーザＹとする。）を応対することが望ましい。そこで、例えば店員は、ユーザＸに携帯端末１００を貸与して、ユーザＸに携帯端末１００において画像の選択作業の続きを行わせながら、画像選択装置３００においてユーザＹの画像の選択作業を行う。また、例えば、店内が混雑している場合には、店員は、ユーザＸに携帯端末１００を貸与して、ユーザＸに携帯端末１００において画像の選択作業を最初から行わせる。
【００４４】
携帯端末１００には、画像選択装置３００と同一の機能が含まれ、ユーザＸは、画像の選択操作を行うことができる。以下、携帯端末１００の具体的な構成について説明する。
【００４５】
［携帯端末１００の構成］
図８は、実施形態１に係る携帯端末１００（情報処理装置）の構成を示す機能ブロック図である。携帯端末１００は、操作部１１０と、通信部１２０と、記憶部１３０と、表示部１４０と、制御部１５０と、を備えている。
【００４６】
操作部１１０は、キーボード、マウス、タッチパネル等、ユーザが所定の操作を行う際に使用する装置（ユーザーインターフェース）である。例えば、ユーザは、携帯端末１００において、操作部１１０（例えばタッチパネル）を使用して、希望する画像を選択する。
【００４７】
通信部１２０は、携帯端末１００を、ＡＰ４００を介してネットワークに接続し、ネットワークを介してサーバ２００、画像選択装置３００等の外部機器との間で所定の通信プロトコルに従ったデータ通信を実行するための通信インタフェースである。
【００４８】
記憶部１３０は、ハードディスク又はＥＥＰＲＯＭ（登録商標）などの不揮発性の記憶部である。記憶部１３０には、制御部１５０によって実行される各種の制御プログラム、及び各種のデータなどが記憶される。
【００４９】
また記憶部１３０には、ユーザの操作に基づいてサーバ２００から取得される前記画像データ及び画像リストが記憶される。
【００５０】
表示部１４０は、情報を表示する液晶ディスプレイなどの表示パネル（モニタ）である。例えば、表示部１４０には、各種の設定画面と、ユーザ用の複数の画像を一覧にした画像一覧とが表示される。ユーザは、表示部１４０に表示される画像一覧を見ながら、操作部１１０を操作して、所望の画像を選択する。
【００５１】
制御部１５０は、ＣＰＵ、ＲＯＭ、及びＲＡＭなどの制御機器を備える。前記ＣＰＵは、各種の演算処理を実行するプロセッサである。前記ＲＯＭは、前記ＣＰＵに各種の処理を実行させるための制御プログラムなどの情報が予め記憶された不揮発性の記憶部である。前記ＲＡＭは、前記ＣＰＵが実行する各種の処理の一時記憶メモリー（作業領域）として使用される揮発性又は不揮発性の記憶部である。制御部１５０は、前記ＲＯＭ又は記憶部１３０に予め記憶された各種の制御プログラムを前記ＣＰＵで実行することにより携帯端末１００を制御する。
【００５２】
具体的に、制御部１５０は、図８に示すように、操作取得部１５１、画像データ取得部１５２、表示制御部１５３、エリア判断部１５４、制限処理部１５５、画像情報更新部１５６などの各処理部を含む。なお、制御部１５０は、前記制御プログラムに従って各種の処理を実行することによりこれらの各処理部として機能する。また、制御部１５０は、これらの各処理部の一部又は複数の処理機能を実現する電子回路を備えるものであってもよい。
【００５３】
操作取得部１５１は、ユーザが操作部１１０を使用して所定の操作を行った場合に、当該操作に応じた操作情報を取得する。
【００５４】
画像データ取得部１５２は、前記操作情報に基づいて、サーバ２００から所定の画像リストと、当該画像リストに登録された画像ファイル名に対応する画像データとを取得する。例えば、ユーザＡが画像選択装置３００にユーザ情報を入力（ログイン操作）すると、画像データ取得部１５２は、当該ユーザ情報に基づいて、サーバ２００から、ユーザＡ用の画像リスト（「ＲＩＳＴ０００１」）と、当該画像リストに登録された画像ファイル名（「Ａ＿００１」〜「Ａ＿０１０」）に対応する画像データとを取得する。画像データ取得部３５２は、前記取得した画像リストと画像データとを記憶部１３０に記憶する（図９）。記憶部１３０に記憶される画像リスト及び画像データは、画像選択装置３００の記憶部３３０に記憶される画像リスト及び画像データ（図４参照）と同一である。
【００５５】
なお、ユーザは、画像選択装置３００において画像を選択して更新した後に、再度、携帯端末１００を使用して画像を選択する場合がある。この場合、サーバ２００の管理テーブル記憶部２３２に記憶された画像リストが更新されるため、画像データ取得部１５２は、更新された画像リスト（更新済画像リスト）（図７参照）を取得する。
【００５６】
表示制御部１５３は、表示部１４０に表示させる表示画面の表示内容を制御する。例えば、表示制御部１５３は、表示部１４０に、ユーザＡ用の複数の画像を一覧にした画像一覧を含む表示画面を表示させる（図１０参照）。また、表示制御部１５３は、表示部１４０において、前記各画像の下に、画像ファイル名と選択情報（未選択マーク（“☆”））とを表示させる。このように、表示制御部１５３は、表示部１４０に画像データを出力するデータ出力部としての機能を有する。
【００５７】
図１０に示す表示画面おいて、符号４０１は画面枠を示し、符号４０２は画像欄（画像一覧）を示し、符号４０３は画像ファイル名欄を示し、符号４０４は通信状態欄を示している。
【００５８】
図１０に示す表示画面では、ユーザＡ用の画像（ここでは１０枚の画像）とそれぞれの画像ファイル名「Ａ＿００１」〜「Ａ＿０１０」とが、画像欄４０２及び画像ファイル名欄４０３に表示されている。なお、図１０では、１０枚の画像が、画面枠４０１内に収まって表示されているが、画像が多数存在し、画面枠４０１内に収まらない場合は、画面枠４０１内の表示領域が左右方向又は上下方向にスクロールするスクロールバーが表示される。
【００５９】
図１０に示す表示画面において、ユーザは商品「アルバムＡ」に入れる画像を決定するために、所望の画像を選択する。ここでは、図１１に示すように、ユーザが、画像ファイル名「Ａ＿００２」、「Ａ＿００４」、「Ａ＿００８」の画像（「Ａ−０２」、「Ａ−０４」、「Ａ−０８」）を選択したと仮定する。ユーザが、前記画像を選択すると、表示制御部１５３は、当該画像の画像ファイル名に選択済マーク（“★”）（選択済情報）を表示させる。
【００６０】
なお、画像データ取得部１５２が前記更新済画像リスト（図７参照）を取得した場合は、表示制御部１５３は、図１１に示す表示画面を表示部１４０に表示させる。
【００６１】
また、図１０に示す表示画面において、通信状態欄４０４には、携帯端末１００の通信状態が表示される。携帯端末１００が所定のエリア内に存在する場合は、通信状態が良好であることを示すマークが通信状態欄４０４に表示される（図１０参照）。一方、携帯端末１００が所定のエリア外に存在する場合は、通信状態が不良であることを示すマークが通信状態欄４０４に表示される（図１２参照）。前記通信状態が良好である場合は、携帯端末１００は、アクセスポイント４００（図１参照）への接続が可能となり、サーバ２００とのデータ通信が可能となる。一方、前記通信状態が不良である場合は、携帯端末１００は、アクセスポイント４００（図１参照）との接続が切断され、サーバ２００とのデータ通信が遮断される。すなわち、「携帯端末１００が所定のエリア内に存在する」とは、携帯端末１００が通信圏内に存在することを意味し、「携帯端末１００が所定のエリア外に存在する」とは、携帯端末１００が通信圏外に存在することを意味する。
【００６２】
ここで、前記所定のエリア（通信圏）は、例えば携帯端末１００の管理者が設定することができる。具体的には、各携帯端末１００が無線ＬＡＮによりＡＰ４００を介してネットワークに接続される構成の場合、管理者は、通信環境を変えることにより前記所定のエリアを設定することができる。また、各携帯端末１００がＧＰＳ（登録商標）機能を有する場合、管理者は、ＧＰＳを利用して取得される位置情報を設定することにより前記所定のエリアを設定することができる。また、管理者は、前記無線ＬＡＮの通信環境と前記ＧＰＳの位置情報とを設定することにより前記所定のエリアを設定することもできる。これにより、例えば、携帯端末１００が店内に存在する場合は、通信状態が良好となり（図１０参照）、携帯端末１００が店外に存在する場合は、通信状態が不良となる（図１２参照）。また例えば、携帯端末１００が店内の第１エリアに存在する場合は、通信状態が良好となり（図１０参照）、携帯端末１００が店内の第２エリアに存在する場合は、通信状態が不良となる（図１２参照）。
【００６３】
エリア判断部１５４は、携帯端末１００が所定のエリア内（通信圏内）に存在するか否かを判断する。例えば、エリア判断部１５４は、携帯端末１００の前記通信状態に基づいて、前記判断処理を行う。なお、エリア判断部１５４は、携帯端末１００又は店内に設けられたセンサなどによる検出信号に基づいて、携帯端末１００が通信圏内に存在するか否かを判断してもよい。
【００６４】
制限処理部１５５は、エリア判断部１５４の判断結果に基づいて、表示部１４０における表示画面の表示内容のうち所定の内容に、表示上の制限を加える制限処理を実行する。前記所定の内容は、例えば、ユーザが被写体として含まれる画像、又は、ユーザが撮影した画像などである。また、前記制限処理は、前記所定の内容を確認できない又は確認し難くする処理である。ここでは、前記制限処理は、例えば、画像の削除、ぼかし処理、モザイク（フィルタ）処理、スタンプ処理等、表示態様の変更処理などの、前記画像データの出力状態を変更する処理を実行する。
【００６５】
例えば、制限処理部１５５は、携帯端末１００が所定のエリア外（通信圏外）に存在する場合に、表示部１４０に表示された全ての画像を表示画面から削除する（図１２参照）。なお、制限処理部１５５は、表示部１４０に表示された全ての画像のうち、一部の画像を表示画面から削除してもよい。例えば、表示部１４０に表示された画像にユーザの情報（当該ユーザの顔画像など）が含まれる場合に、制限処理部１５５は、当該画像のみを削除し、ユーザの情報を含まない画像（例えば、風景画像など）の表示を許可（続行）してもよい。なお、制限処理部１５５は、前記制限処理の対象となる画像の画像データを記憶部１３０（図９参照）から削除してもよい。
【００６６】
また、制限処理部１５５は、携帯端末１００が所定のエリア外（通信圏外）に存在する場合に、表示部１４０に表示された各画像に対する選択情報（未選択マーク（“☆”）、選択済マーク（“★”））を表示画面から削除する（図１２参照）。なお、制限処理部１５５は、前記選択情報に加えて、各画像の画像ファイル名を削除してもよい。
【００６７】
さらに、制限処理部１５５は、携帯端末１００が所定のエリア外（通信圏外）から所定のエリア内（通信圏内）に戻った場合に、前記全ての画像と、各画像に対する前記選択済情報とを、表示部１４０に再表示させる。
【００６８】
画像情報更新部１５６は、ユーザによる前記操作に応じて前記画像リストを更新する。例えば、図１０に示す前記画像一覧において、ユーザが画像「Ａ−０２」、「Ａ−０４」、「Ａ−０８」を選択した場合（図１１参照）、画像情報更新部１５６は、画像リスト（「ＲＩＳＴ０００１」）において、前記各画像に対応する画像ファイル名の「選択」欄にフラグ“１”を追加する（図７参照）。操作取得部１５１がユーザから「更新」操作（例えば図１１に示す「更新」ボタンを押下（選択）する操作）を受け付けると、画像情報更新部１５６は、画像選択情報（フラグ）を追加した更新用画像リスト（図７参照）をサーバ２００に送信する。
【００６９】
サーバ２００の制御部２５０は、携帯端末１００から前記更新用画像リストを取得すると、前記更新用画像リストの内容に基づいて、管理テーブル記憶部２３２に記憶された画像リスト（図２参照）を更新する。ここでは、制御部２５０は、管理テーブル記憶部２３２の画像リスト（「ＲＩＳＴ０００１」）において、画像ファイル名「Ａ＿００２」、「Ａ＿００４」、「Ａ＿００８」の「選択」欄にフラグ“１”を追加する。
【００７０】
［画像制限処理］
以下、図１３及び図１４を参照しつつ、携帯端末１００の制御部１５０によって実行される画像制限処理の一例について説明する。尚、ここでは、ユーザＡは、画像選択装置３００では画像を選択する作業を行っておらず、携帯端末１００において、画像を選択する作業を開始するものとする。前記画像制限処理は、ユーザＡが携帯端末１００における所定の操作に応じて途中で終了されることがある。
【００７１】
＜ステップＳ１０１＞
先ず、ステップＳ１０１において、画像データ取得部１５２は、ユーザの操作に基づいて、サーバ２００から所定の画像リストを取得する。例えば、ユーザＡが携帯端末１００にユーザ情報を入力（ログイン操作）すると、画像データ取得部１５２は、当該ユーザ情報に基づいて、サーバ２００から、ユーザＡ用の画像リスト（「ＲＩＳＴ０００１」）を取得する（図９参照）。
【００７２】
＜ステップＳ１０２＞
ステップＳ１０２において、画像データ取得部１５２は、サーバ２００から、前記画像リスト（「ＲＩＳＴ０００１」）に登録された画像ファイル名（「Ａ＿００１」〜「Ａ＿０１０」）に対応する画像データを取得する（図９参照）。画像データ取得部１５２は、前記取得した画像リストと画像データとを記憶部１３０に記憶する（図９参照）。
【００７３】
＜ステップＳ１０３＞
ステップＳ１０３において、表示制御部１５３は、表示部１４０に、ユーザＡ用の前記画像を一覧にした画像一覧を含む表示画面を表示させる（図１０参照）。また、表示制御部１５３は、各画像の下に、画像ファイル名と未選択マーク（“☆”）とを表示させる。
【００７４】
＜ステップＳ１０４＞
ステップＳ１０４において、エリア判断部１５４は、携帯端末１００が所定のエリア内（通信圏内）に存在するか否かを判断する。ここでは、携帯端末１００が通信圏内に存在するものとする（Ｓ１０４：ＹＥＳ）。また、前記通信圏内は店内であり、通信圏外は店外であると仮定する。
【００７５】
＜ステップＳ１０５＞
ステップＳ１０５において、エリア判断部１５４は、さらに、携帯端末１００が通信圏外（店外）から通信圏内（店内）に移動したか否かを判断する。ここでは、ユーザＡは前記ログイン操作を行ったときから店内にいるものとする。このため、エリア判断部１５４は、携帯端末１００が通信圏外（店外）から通信圏内（店内）に移動していないと判断する（Ｓ１０５：ＮＯ）。
【００７６】
＜ステップＳ１０６＞
ステップＳ１０６において、操作取得部１５１がユーザＡの操作を取得した場合は、Ｓ１０７（図１４参照）に移行し、操作取得部１５１がユーザＡの操作を取得しない場合は、Ｓ１０４に戻る。ここでは、操作取得部１５１がユーザＡの操作を取得したものとする。
【００７７】
＜ステップＳ１０７＞
ステップＳ１０７において、操作取得部１５１がユーザＡの画像選択の操作を取得した場合は、Ｓ１０８に移行し、操作取得部１５１がユーザＡの画像選択の操作を取得しない場合は、Ｓ１１３に移行する。ここでは、ユーザＡが画像「Ａ−０２」、「Ａ−０４」、「Ａ−０８」を選択したものとする。
【００７８】
＜ステップＳ１０８＞
ステップＳ１０８では、表示制御部１５３が、画像リスト（「ＲＩＳＴ０００１」）（図９参照）において、ユーザＡにより選択された画像（「Ａ−０２」、「Ａ−０４」、「Ａ−０８」）の「選択」欄にフラグ“１”が付与されているか否かを判断する。ここでは、前記画像リストにおいて、ユーザＡにより選択された前記画像の「選択」欄にフラグ“１”が付与されていないため（Ｓ１０８：ＮＯ）、Ｓ１０９に移行する。
【００７９】
＜ステップＳ１０９＞
ステップＳ１０９において、表示制御部１５３は、表示画面において、ユーザＡにより選択された画像（「Ａ−０２」、「Ａ−０４」、「Ａ−０８」）の画像ファイル名（「Ａ＿００２」、「Ａ＿００４」、「Ａ＿００８」）に選択済マーク（“★”）を表示させる（図１１参照）。
【００８０】
＜ステップＳ１１０＞
ステップＳ１１０において、画像情報更新部１５６は、画像リスト（「ＲＩＳＴ０００１」）において、ユーザＡにより選択された画像（「Ａ−０２」、「Ａ−０４」、「Ａ−０８」）の「選択」欄にフラグ“１”を追加する（図７参照）。
【００８１】
＜ステップＳ１１１＞
ここで、画像データ取得部１５２が取得した前記画像リストにおいて、ユーザＡにより選択された前記画像の「選択」欄にフラグ“１”が付与されている場合は（Ｓ１０８：ＹＥＳ）、Ｓ１１１において、表示制御部１５３は、表示画面において、ユーザＡにより選択された画像（「Ａ−０２」、「Ａ−０４」、「Ａ−０８」）の画像ファイル名（「Ａ＿００２」、「Ａ＿００４」、「Ａ＿００８」）に未選択マーク（“☆”）（未選択情報）を表示させる。すなわち、表示制御部１５３は、選択された画像を、未選択の状態に戻す。
【００８２】
＜ステップＳ１１２＞
ステップＳ１１２において、画像情報更新部１５６は、画像リスト（「ＲＩＳＴ０００１」）において、ユーザＡにより選択された画像（「Ａ−０２」、「Ａ−０４」、「Ａ−０８」）の「選択」欄のフラグを“１”から“  ”（空欄）に更新する。
【００８３】
＜ステップＳ１１３＞
ステップＳ１１３において、ユーザＡが表示画面において「更新」ボタンを押下（選択）した場合、操作取得部１５１はユーザＡから「更新」操作を受け付け、処理はＳ１１４に移行する。
【００８４】
＜ステップＳ１１４＞
ステップＳ１１４において、画像情報更新部１５６は、画像選択情報（フラグ）を追加した更新用画像リスト（図７参照）をサーバ２００に送信する。
【００８５】
サーバ２００の制御部２５０は、携帯端末１００から前記更新用画像リストを取得すると、前記更新用画像リストの内容に基づいて、管理テーブル記憶部２３２に記憶された画像リスト（図２参照）を更新する。ここでは、制御部２５０は、管理テーブル記憶部２３２の画像リスト（「ＲＩＳＴ０００１」）において、画像ファイル名「Ａ＿００２」、「Ａ＿００４」、「Ａ＿００８」の「選択」欄にフラグ“１”を追加する。
【００８６】
続いて、図１５に示すように、ユーザＡが携帯端末１００を持って店内（通信圏内）から店外（通信圏外）に移動した場合（Ｓ１０４：ＮＯ）、以下の処理が行われる。
【００８７】
＜ステップＳ１１５＞
ステップＳ１１５において、制限処理部１５５は、表示部１４０に表示された全ての画像（「Ａ−０１」〜「Ａ−１０」）を表示画面から削除する（図１２参照）。また、制限処理部１５５は、表示部１４０に表示された選択済マーク（“★”）及び未選択マーク（“☆”）を削除する。なお、制限処理部１５５は、前記選択済マーク（“★”）及び未選択マーク（“☆”）を削除せず、そのまま表示させてもよい。その後、Ｓ１０４に戻る。なお、制限処理部１５５は、前記全ての画像（「Ａ−０１」〜「Ａ−１０」）の画像データを記憶部１３０（図９参照）から削除してもよい。
【００８８】
続いて、ユーザＡが携帯端末１００を持って店外（通信圏外）から店内（通信圏内）に移動した場合（Ｓ１０４及びＳ１０５：ＹＥＳ）、以下の処理が行われる。
【００８９】
＜ステップＳ１１６＞
ステップＳ１１６において、制限処理部１５５は、表示部１４０の表示画面から削除した画像（「Ａ−０１」〜「Ａ−１０」）を、表示画面に再表示させる（図１１参照）。
【００９０】
なお、ステップＳ１１５において制限処理部１５５が前記全ての画像（「Ａ−０１」〜「Ａ−１０」）の画像データを記憶部１３０から削除した場合は、画像データ取得部１５２が、サーバ２００から前記画像データを取得し、制限処理部１５５が、当該画像（「Ａ−０１」〜「Ａ−１０」）を表示画面に再表示させてもよい。
【００９１】
＜ステップＳ１１７＞
ステップＳ１１７において、制限処理部１５５は、ユーザＡにより選択された画像（「Ａ−０２」、「Ａ−０４」、「Ａ−０８」）に対して、選択済マーク（“★”）を再表示させ、その他の画像に対して、未選択マーク（“☆”）を再表示させる。その後、Ｓ１０６に移行する。
【００９２】
＜ステップＳ１１８＞
ステップＳ１１８において、ユーザＡが表示画面において「終了」ボタンを押下（選択）した場合、操作取得部１５１はユーザＡから「終了」操作を受け付け（Ｓ１１８：ＹＥＳ）、画像制限処理を終了する。ユーザＡが「終了」操作を行わない場合は、引き続き、エリア判断部１５４が、携帯端末１００が店内（通信圏内）に存在するか否かを判断する（Ｓ１０４）。以上のようにして、画像制限処理が実行される。
【００９３】
以上説明したように、実施形態１に係る携帯端末１００では、携帯端末１００が所定のエリア内（店内）に存在する場合は、制限処理部１５５は、表示部１４０における画像の表示を許可し、携帯端末１００が所定のエリア外（店外）に存在する場合は、表示部１４０における画像の表示を制限（禁止）し、携帯端末１００が店内から店外に移動した後に店内に戻った場合は、携帯端末１００が店内から店外に移動した直前の画像データの表示状態（出力状態）に基づいて画像を再表示する。例えば、携帯端末１００が店内から店外に移動した直前に、第１画像に選択済マーク（選択済情報）が表示（出力）されていた場合は、携帯端末１００が店外から店内に戻った場合に、制限処理部１５５が、複数の画像と、前記第１画像に対する前記選択済マークとを表示部１４０に再表示する。これにより、ユーザが店外において画像を利用（閲覧など）すること（不正利用）を防止することができる。また、ユーザは、店外から店内に戻った場合に、最初（初期状態）から操作（画像選択）する必要がなく、途中の状態（選択状態）から操作を続行することができる。よって、実施形態１に係る携帯端末１００によれば、コンテンツデータ（画像データ）の不正利用を防止するとともに、当該コンテンツデータを利用するユーザ（ユーザ）の利便性を向上させることが可能となる。
【００９４】
なお、情報処理システム１において、サーバ２００は、写真店（施設）の外（店外）に設置され、インターネット等の通信ネットワークを介して画像選択装置３００及び携帯端末１００と情報の送受信を行ってもよい。
【００９５】
［実施形態２］
以下、実施形態２に係る情報処理システム１について説明する。なお、実施形態１に係る情報処理システム１と同一の機能を有する構成要素については、同一の名称を付し、説明を適宜省略する。
【００９６】
実施形態２に係る情報処理システム１は、音楽ＣＤ店に導入される音楽配信システムに適用される。この場合、サーバ２００の記憶部２３０には、複数の音楽データと、前記音楽データの情報を管理する管理テーブルとが記憶される。
【００９７】
例えば、ユーザは、携帯端末５００を使用して、所望の音楽（コンテンツ）を選択する。ユーザが所望の音楽を選択すると、サーバ２００は、当該音楽に対応する音楽データ及び管理テーブルを携帯端末５００に送信する。
【００９８】
図１６は、実施形態２に係る携帯端末５００（情報処理装置）の構成を示す機能ブロック図である。携帯端末５００は、操作部５１０と、通信部５２０と、記憶部５３０と、表示部５４０と、制御部５５０と、再生部５６０と、を備えている。
【００９９】
再生部５６０は、ユーザの操作に応じて音楽データを再生する。
【０１００】
制御部５５０は、図１６に示すように、操作取得部５５１、音楽データ取得部５５２、再生制御部５５３、エリア判断部５５４、制限処理部５５５、音楽情報更新部５５６などの各処理部を含む。
【０１０１】
携帯端末５００は、前記音楽データ及び管理テーブルを受信すると、例えば、以下の処理を実行する。
【０１０２】
音楽データ取得部５５２は、ユーザの操作に応じた操作情報に基づいて、サーバ２００から管理テーブルと画像データとを取得する。
【０１０３】
再生制御部５５３は、ユーザの操作に応じて、サーバ２００から受信した音楽データを再生部５６０に再生させる。これにより、ユーザは音楽を視聴することが可能となる。再生制御部５５３は、例えば再生部５６０に音楽データを出力（再生）するデータ出力部としての機能を有する。
【０１０４】
エリア判断部５５４は、携帯端末５００が所定のエリア内（通信圏内）に存在するか否かを判断する。例えば、エリア判断部５５４は、携帯端末５００が音楽ＣＤ店の店内（通信圏内）に存在するか否かを判断する。
【０１０５】
制限処理部５５５は、エリア判断部５５４の判断結果に基づいて、前記音楽データに制限処理を実行する。具体的には、制限処理部５５５は、携帯端末５００で再生する前記音楽をユーザが聞き取れない又は聞き取り難くする処理を実行する。例えば、制限処理部５５５は、前記音楽データの再生を停止する。なお、制限処理部５５５は、前記制限処理の対象となる音楽の音楽データを記憶部５３０から削除してもよい。
【０１０６】
例えば、制限処理部５５５は、携帯端末５００が店外（通信圏外）に存在する場合に、音楽データの再生を停止する。制限処理部５５５は、前記音楽データに、ノイズを加えてもよいし、間引き処理を施してもよい。このように、制限処理部５５５は、前記音楽データの再生形式を変更してもよい。すなわち、制限処理部５５５は、前記音楽データの出力状態を変更してもよい。
【０１０７】
音楽情報更新部５５６は、ユーザによる操作に応じて前記管理テーブルの情報を更新する。例えば、ユーザが音楽「Ｍ−０１」を選択すると、音楽情報更新部５５６は、前記管理テーブルにおいて、前記音楽「Ｍ−０１」に対応する音楽ファイル名の「選択」欄にフラグ“１”を追加する。操作取得部５５１がユーザから「更新」操作を受け付けると、音楽情報更新部５５６は、音楽選択情報（フラグ）を追加した更新用管理テーブルをサーバ２００に送信する。
【０１０８】
サーバ２００の制御部２５０は、携帯端末５００から前記更新用管理テーブルを取得すると、前記更新用管理テーブルの内容に基づいて、前記管理テーブルを更新する。
【０１０９】
上記構成によれば、ユーザが店内において音楽「Ｍ−０１」を再生中（視聴中）に、携帯端末５００を持って店内（通信圏内）から店外（通信圏外）に移動した場合は、前記音楽の再生が中止される。ここで、音楽情報更新部５５６は、携帯端末５００が店内から店外に移動した直前の状態を前記管理テーブルに記憶する。ここでは、音楽情報更新部５５６は、音楽「Ｍ−０１」の再生を停止した箇所（位置）の情報を、前記管理テーブルに追加する。
【０１１０】
その後、携帯端末５００を所持したユーザが店外から店内に戻った場合は、制限処理部５５５は、前記管理テーブルの情報に基づいて、前記音楽「Ｍ−０１」を、停止した箇所（途中箇所）から再生する。
【０１１１】
これにより、ユーザが店外において音楽を再生すること（不正利用）を防止することができる。また、ユーザは、店外から店内に戻った場合に、最初（初期状態）から再生する必要がなく、途中の状態（停止箇所）から再生を続行することができる。よって、実施形態２に係る携帯端末５００によれば、コンテンツデータ（音楽データ）の不正利用を防止するとともに、当該コンテンツデータを利用するユーザの利便性を向上させることが可能となる。
【０１１２】
以上のように、本発明に係る情報処理装置（携帯端末１００，５００）において、制限処理部１５５，５５５は、前記情報処理装置が所定のエリア内に存在する場合は、データ出力部（表示制御部１５３、再生制御部５５３）における前記データ（画像データ、音楽データなど）の出力を許可し、前記情報処理装置が所定のエリア外に存在する場合は、前記データ出力部における前記データの出力状態（出力形式）を変更し、前記情報処理装置が前記所定のエリア内から前記所定のエリア外に移動した後に前記所定のエリア外から前記所定のエリア内に戻った場合は、前記情報処理装置が前記所定のエリア内から前記所定のエリア外に移動した直前の前記データの出力状態に基づいて前記データの出力を復元（再開）する。
【符号の説明】
【０１１３】
１          情報処理システム
１００      携帯端末（情報処理装置）
１１０      操作部
１２０      通信部
１３０      記憶部
１４０      表示部
１５０      制御部
１５１      操作取得部
１５２      画像データ取得部
１５３      表示制御部
１５４      エリア判断部
１５５      制限処理部
１５６      画像情報更新部
２００      サーバ
２１０      操作部
２２０      通信部
２３０      記憶部
２３１      画像データ記憶部
２３２      管理テーブル記憶部
２５０      制御部
３００      画像選択装置
３４１      第１表示部
３４２      第２表示部
４００      アクセスポイント（ＡＰ）
５００      携帯端末（情報処理装置）
５１０      操作部
５２０      通信部
５３０      記憶部
５４０      表示部
５５０      制御部
５５１      操作取得部
５５２      音楽データ取得部
５５３      再生制御部
５５４      エリア判断部
５５５      制限処理部
５５６      音楽情報更新部
５６０      再生部
【図１】
2019185458.tif 000003
【図２】
2019185458.tif 000004
【図３】
2019185458.tif 000005
【図４】
2019185458.tif 000006
【図５】
2019185458.tif 000007
【図６】
2019185458.tif 000008
【図７】
2019185458.tif 000009
【図８】
2019185458.tif 000010
【図９】
2019185458.tif 000011
【図１０】
2019185458.tif 000012
【図１１】
2019185458.tif 000013
【図１２】
2019185458.tif 000014
【図１３】
2019185458.tif 000015
【図１４】
2019185458.tif 000016
【図１５】
2019185458.tif 000017
【図１６】
2019185458.tif 000018